(57)【要約】【課題】直感的で且つ簡単な操作により、撮像視野内を移動する被写体を所望の位置及びタイミングで確実に撮影する。【解決手段】  撮影機器は、被写体を撮像する撮像部と、上記撮像部で撮像して得た撮像画像に基づく表示を行う表示制御部と、上記表示制御部によって表示された撮像画像に対応するスライド操作を受け付けるタッチパネルと、上記撮像画像中の被写体を判定する被写体判定部と、上記スライド操作に従って、上記撮像画像中を移動してくる被写体の撮影タイミングを決定する制御部とを具備する。【選択図】図１
2014011578.tif 000002
【特許請求の範囲】
【請求項１】
被写体を撮像する撮像部と、
上記撮像部で撮像して得た撮像画像に基づく表示を行う表示制御部と、
上記表示制御部によって表示された撮像画像に対応するスライド操作を受け付けるタッチパネルと、
上記撮像画像中の被写体を判定する被写体判定部と、
上記スライド操作に従って、上記撮像画像中を移動してくる被写体の撮影タイミングを決定する制御部と
を具備したことを特徴する撮影機器。
【請求項２】
上記タッチパネルは、上記撮像画像を表示する表示部上に配設される
ことを特徴する請求項１に記載の撮影機器。
【請求項３】
上記制御部は、上記被写体が上記スライド操作に対応する上記撮像画像中の位置に到達するタイミングを上記撮影タイミングとする
ことを特徴する請求項１又は２に記載の撮影機器。
【請求項４】
上記制御部は、上記被写体が上記スライド操作に対応する上記撮像画像中の位置に到達するタイミングを予測して上記撮影タイミングを得る
ことを特徴する請求項１又は２に記載の撮影機器。
【請求項５】
上記制御部は、上記スライド操作の操作方向に基づく動体判定方向に移動する上記被写体を撮影する
ことを特徴する請求項１乃至４のいずれか１つに記載の撮影機器。
【請求項６】
上記制御部は、上記タッチパネルに対するタッチ操作によって撮影を行う
ことを特徴する請求項１乃至５のいずれか１つに記載の撮影機器。
【請求項７】
上記制御部は、上記タッチパネルに触れた位置に応じて撮影操作であるか又は上記スライド操作であるかを判定する
ことを特徴する請求項６に記載の撮影機器。
【発明の詳細な説明】
【技術分野】
【０００１】
本発明は、タッチパネルを備えた撮影機器に関する。
【背景技術】
【０００２】
近年、デジタルカメラなどの撮影機能付き携帯機器（撮影機器）が普及している。この種の撮影機器においては表示部を有して、撮影画像を表示する機能を有するものもある。また、表示部にメニュー画面を表示して、撮影機器の操作を容易にしたものもある。更に、表示部にタッチパネルを配置して、タッチパネルに対するタッチ操作によって撮影機器の操作が可能なものもある。
【０００３】
従来、撮影機器により移動する被写体を撮影することがある。例えば、徒競走等において、希望する被写体を希望する位置において撮影しようとすることが考えられる。しかしながら、移動する被写体を所望のタイミングで撮影するためには、撮影ボタンの押下に要する時間や実際に撮像が行われるまでのタイムラグを考慮して撮影を行う必要があり、必ずしも希望する被写体を希望するタイミングで撮影することができない場合がある。
【０００４】
そこで、特許文献１においては、撮像視野内に構図線を設定し、設定した構図線と移動体の位置が一致すると撮影を行うことで、移動体を確実に撮影する技術が提案されている。
【先行技術文献】
【特許文献】
【０００５】
特開２００９−７７１４３号公報
【発明の概要】
【発明が解決しようとする課題】
【０００６】
しかしながら、特許文献１の発明においては、メニューや操作ボタンを駆使して構図線を設定するものであり、構図線の変更操作等は容易ではなく、構図線の設定のためにシャッターチャンスを逃すことがあるか又は、構図線に束縛されて、必ずしも撮影者が希望する撮影位置やタイミングで撮影を行うことができるとは限らないという問題があった。
【０００７】
本発明は、直感的で且つ簡単な操作により、撮像視野内を移動する被写体を所望の位置及びタイミングで確実に撮影することができる撮影機器を提供することを目的とする。
【課題を解決するための手段】
【０００８】
本発明に係る撮影機器は、被写体を撮像する撮像部と、上記撮像部で撮像して得た撮像画像に基づく表示を行う表示制御部と、上記表示制御部によって表示された撮像画像に対応するスライド操作を受け付けるタッチパネルと、上記撮像画像中の被写体を判定する被写体判定部と、上記スライド操作に従って、上記撮像画像中を移動してくる被写体の撮影タイミングを決定する制御部とを具備する。
【発明の効果】
【０００９】
本発明によれば、直感的で且つ簡単な操作により、撮像視野内を移動する被写体を所望の位置及びタイミングで確実に撮影することができるという効果を有する。
【図面の簡単な説明】
【００１０】
【図１】本発明の第１の実施の形態に係る撮影機器の回路構成を示すブロック図。
【図２】撮影の様子を示す説明図。
【図３】タッチレリーズを説明するための説明図。
【図４】構図自動設定モードを説明するための説明図。
【図５】カメラ制御を説明するためのフローチャート。
【図６】本発明の第２の実施の形態を示すブロック図。
【図７】第２の実施の形態を説明するための説明図。
【図８】第２の実施の形態を説明するための説明図。
【図９】構図設定ラインの方向が垂直方向の場合における動体判定方向の一例を示す説明図。
【図１０】動体判定方向が構図設定ラインの方向に対して略直交する場合の撮影を説明するための説明図。
【図１１】第２の実施の形態を説明するための説明図。
【図１２】第２の実施の形態を説明するための説明図。
【図１３】動体判定方向が構図設定ラインの方向に対して略一致する場合の撮影を説明するための説明図。
【図１４】構図設定ラインの設定を解除するための操作の例を示す説明図。
【図１５】操作部の操作によって手動で構図自動設定モードを設定する場合の動作フローを示すフローチャート。
【図１６】ユーザのスライド操作に応答して自動的に構図自動設定モードが設定される場合の動作フローを示すフローチャート。
【発明を実施するための形態】
【００１１】
以下、図面を参照して本発明の実施の形態について詳細に説明する。
【００１２】
（第１の実施の形態）
図１は本発明の第１の実施の形態に係る撮影機器の回路構成を示すブロック図である。本実施の形態における撮影機器１は、本体部１０、交換レンズ２０及び表示部３０によって構成されている。本体部１０は、撮影機器１の主要な回路部分が収納された筐体であり、前面に交換レンズ２０が着脱自在に取り付けられ、背面に表示部３０が設けられている。
【００１３】
表示部３０は、後述するように、撮像画像を表示する表示画面３１を有している。また、表示画面３１上には、タッチパネル３２が設けられている。タッチパネル３２は、ユーザが指で指し示した表示画面３１上の位置に応じた操作信号を発生することができる。この操作信号は、本体部１０の後述する信号処理及び制御部１１に供給される。これにより、信号処理及び制御部１１は、ユーザがタッチした表示画面３１上の位置やユーザが表示画面３１上を指でスライドさせるスライド操作を行った場合には、そのスライド位置及び方向を検出することができ、ユーザ操作に対応した処理を実行することができるようになっている。
【００１４】
表示部３０は、本体部１０の背面にヒンジ部材３３によって回動自在に取り付けられている。表示画面３１を本体部１０の背面に沿って収納した状態では、撮影者は、撮影時に表示画面３１上に表示されたスルー画を確認することができ、スルー画を確認しながら撮影操作を行うことができる。また、ヒンジ部材３３によって表示部３０を傾斜させることで、表示画面３１を下方に向けることができ、撮影者は、ハイアングル撮影時においても、下方から表示画面３１上の表示を確認することができるようになっている。
【００１５】
交換レンズ２０は、本体部１０の撮像部１２に被写体像を導くレンズ部２１を有している。レンズ部２１は、ズームやフォーカシングのためのレンズ等を備えており、これらのレンズを駆動制御するための操作部２２を備えている。ズームリングやピントリング等によって構成される操作部２２の操作によって、ピントのみならず、ズーム位置や絞りの調整も可能である。
【００１６】
操作部２２は、ユーザ操作に基づく操作信号を制御部２３に出力する。制御部２３は、マイコン等によって構成されており、操作部２２からの操作信号に基づいて、回転操作及びシフト操作に基づくフォーカス信号及びズーム信号を発生して、駆動部２４を制御する。
【００１７】
モーター等によって構成された駆動部２４は、レンズ部２１に設けられたピント合わせに関連するピントレンズ及びズーミングに関連するズームレンズを駆動し、ピント制御及びズーム制御を行う。レンズ部２１にはピント制御部２１ａ、ズーム制御部２１ｂ及び絞り制御部２１ｃが設けられている。ピント制御部２１ａはピントレンズの位置に対応した信号をピント位置判定部２５ａに出力する。また、ズーム制御部２１ｂはズームレンズの位置（ズーム位置）に対応した信号をズーム位置判定部２５ｂに出力する。絞り制御部２１ｃは、レンズ内の軸状光束を制限するための絞り制御部である。
【００１８】
ピント位置判定部２５ａは、ピント制御部２１ａの出力に基づいてピント位置を判定して判定結果を制御部２３に出力する。ズーム位置判定部２５ｂは、ズーム制御部２１ｂの出力に基づいてズーム位置を判定して判定結果を制御部２３に出力する。制御部２３は、ピント位置及びズーム位置の判定結果が与えられ、操作部２２の操作に対応したピント位置及びズーム位置となるように、駆動部２４を制御する。
【００１９】
交換レンズ２０には、通信部２８が設けられている。また、本体部１０には通信部１３が設けられている。通信部２８は、所定の伝送路を介して本体部１０の通信部１３との間で情報の送受を行う。制御部２３は、本体部１０の通信部１３との間の通信が確立すると、記録部２６に格納したレンズ情報及びズーム操作に関するズーム情報等を通信部２８，１３によって本体部１０に送信させることができる。
【００２０】
レンズ情報により、本体部１０は、交換レンズ２０がどのようなズーム機能を有しているか、ズームレンズの焦点距離範囲（倍率）、焦点距離、明るさナンバー等を認識することができる。また、本体部１０には、操作部２２からの回転操作の情報も与えられるようになっている。制御部２３は、通信部１３，２８介して本体部１０の信号処理及び制御部１１から制御信号が供給されて、信号処理及び制御部１１によって制御可能に構成されている。
【００２１】
なお、本実施の形態においては、種々の交換レンズを採用することができ、更に、交換レンズだけでなく、交換不能なレンズを採用してもよい。
【００２２】
撮影機器１を構成する本体部１０は、ＣＣＤやＣＭＯＳセンサ等の撮像素子によって構成された撮像部１２を有している。撮像部１２は、本体部１０の前面に設けられた交換レンズ２０からの被写体像を光電変換して撮影画像を得る。撮像部１２は、信号処理及び制御部１１によって駆動制御されて、撮影画像を出力する。
【００２３】
信号処理及び制御部１１は、撮像部１２に撮像素子の駆動信号を出力すると共に、撮像部１２からの撮影画像を読み出す。信号処理及び制御部１１は、読み出した撮影画像に対して、所定の信号処理、例えば、色調整処理、マトリックス変換処理、ノイズ除去処理、その他各種の信号処理を行う。
【００２４】
本体部１０には、時計部１４及び操作判定部１５も配設されている。時計部１４は信号処理及び制御部１１が用いる時間情報を発生する。操作判定部１５は、本体部１０に設けられた図示しないレリーズボタン、ファンクションボタン、撮影モード設定等の各種スイッチ等を含む操作部に対するユーザ操作に基づく操作信号を発生して、信号処理及び制御部１１に出力するようになっている。信号処理及び制御部１１は、操作信号に基づいて、各部を制御する。
【００２５】
信号処理及び制御部１１は、信号処理後の撮影画像を圧縮処理し、圧縮後の画像を記録部１６に与えて記録させることができる。記録部１６としては、例えばカードインターフェースを採用することができ、記録部１６はメモリカード等の記録媒体に画像情報及び音声情報等を記録可能である。
【００２６】
また、信号処理及び制御部１１の表示制御部１１ａは表示に関する各種処理を実行する。表示制御部１１ａは、信号処理後の撮影画像を表示部３０及び接眼表示部１７に与えることができる。表示部３０及び接眼表示部１７は、夫々ＬＣＤ等の表示画面を有しており、表示制御部１１ａから与えられた画像を表示する。また、表示制御部１１ａは、各種メニュー表示等をこれらの表示画面に表示させることもできるようになっている。
【００２７】
また、本体部１０には、ユーザが目を接眼表示部１７の接眼する部分に近接させたことを検出するアイセンサ３５が設けられている。アイセンサ３５の検出結果によって、信号処理及び制御部１１は、ユーザが目を接眼する部分に近接させたか否かを判定することができるようになっている。
【００２８】
タッチ・スライド操作検出部１１ｂは、タッチパネル３２の出力等に基づいて、ユーザがタッチパネル３２をタッチ又はスライド操作したことを検知することができる。タッチ・スライド操作検出部１１ｂは、ユーザのタッチ又はスライド操作を検知すると、検知結果を表示制御部１１ａ、動体判定部１１ｃ、及び予測・撮影決定部１１ｄに出力する。
【００２９】
タッチ・スライド操作検出部１１ｂは、ユーザがタッチパネル３２をタッチすると、タッチレリーズ操作が行われたものと判定する。この場合には、信号処理及び制御部１１は、タッチ・スライド操作検出部１１ｂの判定結果に基づいて、例えばタッチ位置を合焦させるよう制御すると共に撮像部１２からの撮像画像を得て、信号処理を行った後記録する。
【００３０】
本実施の形態においては、タッチ・スライド操作検出部１１ｂは、ユーザがタッチパネル３２上をスライド操作すると、このスライド操作が構図自動設定モードにおける構図設定ラインを指定するものであると判定し、構図自動設定モードを設定する。構図自動設定モードにおいては、構図設定ラインと被写体との位置関係に応じて、自動的に撮影が行われるようになっている。
【００３１】
なお、タッチ・スライド操作検出部１１ｂは、タッチパネル３２をタッチした瞬間に、タッチレリーズ操作が行われたものと判定することができる。この場合には、タッチ操作とスライド操作とを区別するために、タッチ・スライド操作検出部１１ｂは、例えば、画面端部からスライドを開始した場合にタッチと判定せず、スライド操作の開始であるものと判定するようにしてもよい。また、タッチ・スライド操作検出部１１ｂは、タッチパネル３２をタッチした後スライドさせずに離した瞬間に、タッチレリーズ操作が行われたものと判定することができる。この場合には、タッチ・スライド操作検出部１１ｂは、タッチレリーズの検出タイミングは若干遅延するが、画面上のいずれの位置からスライド操作を開始しても、タッチ操作とスライド操作とを区別することができる。
【００３２】
構図自動設定モードが設定されると、表示制御部１１ａは、スライド操作の情報に基づいて、例えば表示画面３１上にスライド操作の軌跡に沿った構図設定ラインを表示する。動体判定部１１ｃは、構図自動設定モードにおいて、撮像画像中の動体を検出し、予測・撮影決定部１１ｄは、スライド操作に応じた構図設定ラインに動体が到達するタイミングを予測し、動体が構図設定ラインに到達するタイミングで撮像部１２が撮影を行うように、制御する。
【００３３】
なお、予測・撮影決定部１１ｄは、予測処理を行うことなく、動体が構図設定ラインに到達したタイミングを検出し、信号処理及び制御部１１は、このタイミングの検出結果に応じて撮像部１２からの撮像画像を取り込むようにしてもよい。
【００３４】
次に、このように構成された実施の形態の動作について図２乃至図５を参照して説明する。図２は撮影の様子を示す説明図であり、図３はタッチレリーズを説明するための説明図であり、図４は構図自動設定モードを説明するための説明図である。また、図５はカメラ制御を説明するためのフローチャートである。
【００３５】
本実施の形態における撮影機器１は、図２（ａ），（ｂ）に示すように、本体部１０の背面に表示部３０が設けられている。ユーザ４１は、例えば、本体部１０を右手４３で把持して、表示部３０の表示画面３１を見ながら被写体４２を視野範囲に捉えた状態で、左手４４で表示部３０上のタッチパネル３２をタッチすることで撮影を行う。なお、図２（ｂ）は、ユーザ４１が右手４３ａによるレリーズボタンの押下操作によって、被写体４２を撮影する様子を示している。
【００３６】
撮影機器１の電源が投入されると、信号処理及び制御部１１は、図５のステップＳ１で撮影モードが指示されたか否かを判定する。撮影モードが指示されていない場合には、信号処理及び制御部１１は、ステップＳ２において、再生モードが指示されたか否かを判定する。再生モードが指示されると、信号処理及び制御部１１は、ステップＳ３において選択画像の再生を行う。ユーザが再生画像の変更を指示すると、信号処理及び制御部１１は、ステップＳ４から処理をステップＳ５に移行して画像の変更を行う。なお、信号処理及び制御部１１は、ステップＳ２において再生モードが指定されていない場合には、ステップＳ６において撮影画像を送信する画像通信モードに移行する。
【００３７】
一方、撮影モードが指示されると、信号処理及び制御部１１は、ステップＳ１１において、レンズ交換が行われたか否かを判定して、レンズ交換が行われた場合には、交換レンズ２０の制御部２３との間で通信を行ってレンズ情報を取得する（ステップＳ１２）。次に、信号処理及び制御部１１は、ステップＳ１３において、スルー画の表示を開始する。
【００３８】
次のステップＳ１４では、接眼判定が行われる。図２（ｂ）に示すように、ユーザ４１が接眼表示部１７に近接させることで、本体部１０に設けたアイセンサ３５によってユーザの接眼が検出される。接眼時には、信号処理及び制御部１１は、接眼表示部１７の表示画面上にスルー画の表示を行う（ステップＳ１５）。接眼時には、ユーザはレリーズボタンの押下操作によって撮影を行う。従って、接眼時には、タッチ・スライド操作検出部１１ｂは、タッチパネル３２を構図設定ライン設定のためのスライド検出用としてのみ用いる（ステップＳ１６）。
【００３９】
一方、ユーザが接眼していない場合には、表示制御部１１ａは、表示部３０の表示画面３１上にスルー画を表示する。次に、タッチ・スライド操作検出部１１ｂは、ステップＳ２２においてタッチ操作があったか否かを判定し、ステップＳ２４においてスライド操作があったか否かを判定する。タッチ・スライド操作検出部１１ｂによってタッチ操作があったことが検出されると、信号処理及び制御部１１は、ステップＳ２３において、タッチ点で合焦、露出制御を行って撮影を行う。
【００４０】
図３はタッチレリーズ操作時の、表示画面３１上に表示されるスルー画５１及びレックビュー画像５２を示している。図３（ａ）には被写体４２を含むスルー画５１の表示中において、ユーザが左手４４の人差し指４４ａによって被写体４２の表示部分をタッチレリーズする操作を示している。これにより、図３（ｂ）のレックビュー画像５２に示す撮像画像が得られる。
【００４１】
一方、ステップＳ１７，Ｓ２４において、タッチ・スライド操作検出部１１ｂがスライド操作があったものと判定した場合には、ステップＳ２５，Ｓ２７において、構図設定ラインが設定される。図４は構図自動設定モード時の、表示画面３１上に表示されるスルー画５５及びレックビュー画像５６を示している。図４（ｂ）には被写体４２を含むスルー画５５の表示中において、ユーザが左手４４の人差し指４４ａによって、構図設定ラインを設定するスライド操作を行ったことを示している。このスライド操作によって、表示制御部１１ａは、構図設定ラインの表示５７を表示する。
【００４２】
構図自動設定モード時には、動体判定部１１ｃによって撮影範囲内の動体が判定され、予測・撮影決定部１１ｄは、動体が構図設定ラインに到達することを予測する（ステップＳ２６，Ｓ２８）。信号処理及び制御部１１は、ユーザによる露出等のパラメータ設定の操作があった場合には、ステップＳ２９からステップＳ３０に処理を移行し、パラメータ設定を行う。信号処理及び制御部１１は、動体である被写体が構図設定ラインに到達するタイミングになると（ステップＳ３１）、撮像部１２からの撮像画像を取り込んで画像処理した後、記録を行う（ステップＳ３２）。これにより、図４（ｂ）のレックビュー画像５６に示す撮像画像が得られる。
【００４３】
このように本実施の形態においては、画面上でスライド操作を行うという極めて簡単な操作によって、被写体を撮像する位置及びタイミングを決定するための構図設定ラインを設定することができる。この構図設定ラインに被写体が到達するタイミングで撮影を行うようになっており、動く被写体を確実に撮影可能である。このように、直感的で且つ簡単な操作により、撮像視野内を移動する被写体を所望の位置及びタイミングで確実に撮影することができる。
【００４４】
（第２の実施の形態）
図６は本発明の第２の実施の形態を示すブロック図である。図６において図１と同一の構成要素には同一符号を付して説明を省略する。また、図７及び図８は第２の実施の形態を説明するための説明図である。
【００４５】
本実施の形態は、方向判定部１１ｅを付加した点が図１の実施の形態と異なる。第１の実施の形態においては、構図設定ラインに到達する被写体の全てを撮影した。しかし、ユーザが撮影したい被写体以外の被写体が撮影されてしまう可能性がある。そこで、本実施の形態は、構図設定ラインの方向を判定し、この方向に対して所定の角度範囲で構図設定ラインに進入する被写体のみを撮影することで、誤撮影を防止するものである。
【００４６】
方向判定部１１ｅは、タッチ・スライド操作検出部１１ｂの検出結果が与えられて、構図設定ラインの方向を判定する。いま、図７に示すように、本体部６１の背面に設けられた表示画面３１上に、スルー画６２が表示されているものとする。スルー画６２は、徒競走のゴール近傍を撮像して得たものであり、人物６０ａ，６０ｂが持つゴールテープ６４が表示されている。いま、ユーザがゴールテープ６４に到達する被写体を撮像しようとするものとする。この場合には、ユーザは、例えば右手６３の人差し指６３ａで表示画面３１上のタッチパネル３２を、ゴールテープ６４に沿ってスライド操作する。タッチ・スライド操作検出部１１ｂは、このスライド操作に基づく構図設定ラインを設定し、表示制御部１１ａは設定された構図設定ラインに基づく構図設定ライン表示６５をスルー画６２上に表示させる。例えば、タッチ・スライド操作検出部１１ｂは、スライド操作の始点と終点とを結ぶ直線を構図設定ラインに設定し、始点と終点とを結ぶ直線の表示を構図設定ライン表示６５としてもよい。
【００４７】
方向判定部１１ｅは、設定された構図設定ラインの方向を判定する。例えば、方向判定部１１ｅは、図８に示すように、スライド操作の始点と終点である構図設定ラインの両端点の画面上の座標（ｘ１，ｙ１），（ｘ２，ｙ２）を求め、ｘ１−ｘ２＝ｘＳｕｂとし、ｙ１−ｙ２＝ｙＳｕｂとして、ｘＳｕｂ＞ｙＳｕｂの場合には構図設定ラインは水平方向であると判定し、ｘＳｕｂ＜ｙＳｕｂの場合には構図設定ラインは垂直方向であると判定してもよい。方向判定部１１ｅは、構図設定ラインの方向に対して所定角度範囲の方向（以下、動体判定方向という）から構図設定ラインに進入した被写体のみを撮影の対象とし、動体判定部１１ｃ及び予測・撮影決定部１１ｄを制御する。例えば、方向判定部１１ｅは、構図設定ラインの方向に対し略垂直方向を動体判定方向とし、動体判定方向から構図設定ラインに進入した被写体を撮影の対象とするように制御を行う。
【００４８】
図９は構図設定ラインの方向が垂直方向の場合における動体判定方向の一例を示す説明図である。図９の構図設定ライン表示６５の例は、ｘＳｕｂ＜ｙＳｕｂであり、構図設定ラインの方向は垂直方向である。この場合には、方向判定部１１ｅの判定結果によって、動体判定部１１ｃは、例えば図９の矢印６６ａ，６６ｂ方向を動体判定方向として動体を検出する。そして、予測・撮影決定部１１ｄは、図９の矢印６６ａ，６６ｂに示す動体判定方向から構図設定ラインに進入した被写体を撮影する。
【００４９】
図１０は動体判定方向が構図設定ラインの方向に対して略直交する場合の撮影を説明するための説明図である。図１０は図７に対応したものであり、図１０（ａ）に示すように、表示画面３１上には、スルー画６２が表示され、スルー画６２上には、ユーザのスライド操作の軌跡に基づいて設定された構図設定ライン表示６５が表示されている。上述したように、スルー画６２は、徒競走のゴール近傍を撮像して得たものであり、例えば、ユーザがゴールテープ６４に沿ってスライド操作を行うことで、構図設定ライン表示６５にて示す構図設定ラインが設定される。
【００５０】
図１０（ａ）はスルー画６２の左端にユーザが撮影を希望する被写体の一部が撮像されて表示６７ａとして表示されていることを示している。ユーザは、視野範囲をゴール近傍に設定して、ゴールに向かって走っている被写体を撮影しようとしたものである。図１０（ａ）の撮像時から所定時間経過後には、被写体は画像中の位置まで移動して表示６７ｂとして表示されている（図１０（ｂ））。更に、被写体がゴールテープ６４に到達すると、撮影が行われて、被写体は表示６７ｃとして撮像画像中に表示される（図１０（ｃ））。
【００５１】
図７乃至図１０は動体判定方向が構図設定ラインの方向に対して略直交する場合の例を示した。更に、本実施の形態においては、動体判定方向を構図設定ラインの方向に略一致させる制御も可能である。
【００５２】
図１１乃至図１３はこの場合の例を示す説明図である。図１１乃至図１３は夫々図７、図８及び図１０に対応したものであり、同一物には同一の符号を付して説明を省略する。
【００５３】
いま、ユーザがゴールテープ６４に到達する被写体を撮像しようとするものとする。図１１の例では、ユーザは、例えば右手６３の人差し指６３ａで表示画面３１上のタッチパネル３２に触れて、撮像しようとする被写体が進む方向であって、ゴールテープ６４を終点とするスライド操作を行う。タッチ・スライド操作検出部１１ｂは、このスライド操作に基づく構図設定ラインを設定し、表示制御部１１ａは設定された構図設定ラインに基づく構図設定ライン表示７１をスルー画６２上に表示させる。例えば、タッチ・スライド操作検出部１１ｂは、スライド操作の始点と終点とを結ぶ直線を構図設定ラインに設定し、始点と終点とを結ぶ直線の表示を構図設定ライン表示７１とする。
【００５４】
方向判定部１１ｅは、設定された構図設定ラインの方向を判定する。例えば、方向判定部１１ｅは、図１２に示すように、スライド操作の始点と終点である構図設定ラインの両端点の画面上の座標（ｘ１，ｙ１），（ｘ２，ｙ２）を求め、ｘ１−ｘ２＝ｘＳｕｂとし、ｙ１−ｙ２＝ｙＳｕｂとして、ｘＳｕｂ＞ｙＳｕｂの場合には構図設定ラインは水平方向であると判定し、ｘＳｕｂ＜ｙＳｕｂの場合には構図設定ラインは垂直方向であると判定してもよい。図１１乃至図１３の例では、方向判定部１１ｅは、動体判定方向を構図設定ラインの方向に略一致した方向に設定する。これにより、構図設定ラインに略一致した動体判定方向から進入した被写体を撮影の対象とするように制御を行う。また、この場合には、予測・撮影決定部１１ｄは、構図設定ラインの終点座標近傍に被写体が到達したことによって、撮像部１２からの撮像画像を取り込んで撮影を行うようになっている。
【００５５】
図１３は動体判定方向が構図設定ラインの方向に対して略一致する場合の撮影を説明するための説明図である。図１３（ａ）に示すように、表示画面３１上には、スルー画６２が表示され、スルー画６２上には、ユーザのスライド操作の軌跡に基づいて設定された構図設定ライン表示７１が表示されている。上述したように、スルー画６２は、徒競走のゴール近傍を撮像して得たものであり、例えば、ユーザが被写体の進入方向からゴールテープ６４に向かってスライド操作を行うことで、構図設定ライン表示７１にて示す構図設定ラインが設定される。
【００５６】
図１３（ａ）はスルー画６２の左端にユーザが撮影を希望する被写体の一部が撮像されて表示６７ａとして表示されていることを示している。ユーザは、視野範囲をゴール近傍に設定して、ゴールに向かって走っている被写体を撮影しようとしたものである。図１３（ａ）の撮像時から所定時間経過後には、被写体は画像中の位置まで移動して表示６７ｂとして表示されている（図１３（ｂ））。更に、被写体が構図設定ラインの終点７１ａの位置、即ち、ゴールライン６４に到達すると、撮影が行われて、被写体は表示６７ｃとして撮像画像中に表示される（図１３（ｃ））。
【００５７】
このように本実施の形態においては、方向判定部１１ｅによって動体判定方向を求めており、ユーザが撮影しようとする被写体をより確実に撮影することができる。また、予測・撮影決定部１１ｄは、動体判定方向に進行する被写体を追尾して構図設定ラインに到達するタイミングを推定する。予測・撮影決定部１１ｄは、動体判定方向に進む被写体の速度を、例えば１フレーム当たりの動体判定方向の移動量から求めることができ、比較的容易に被写体が構図設定ラインに到達するタイミングを推定することができる。
【００５８】
また、予測・撮影決定部１１ｄは、動体判定方向に移動する被写体の速度が比較的速い場合には、撮像部１２等を制御して、フレームレートを高くするようにしてもよい。例えば、１フレーム当たりに画面内（視野範囲）を何％移動するかに応じて、フレームレートを設定してもよい。これにより、被写体の速度が比較的速い場合でも、被写体が構図設定ラインに到達するタイミング近傍のタイミングで、被写体を撮像することが可能である。
【００５９】
なお、ユーザは構図設定ラインの設定のためのスライド操作を間違うことも考えられる。そこで、タッチ・スライド操作検出部１１ｂは、ユーザがスライド操作の中止又は解除のための操作を行った場合には、これらの操作（以下、解除操作という）を検出して構図設定ラインの設定を中止又は取り消すようになっている。
【００６０】
図１４は構図設定ラインの設定を解除するための操作の例を示す説明図である。図１４（ａ）〜（ｃ）は構図設定ラインの確定前の中止操作を示している。図１４（ａ），（ｂ）はユーザが最初の直線状のスライド操作に続けて、１つ以上の折れ線状のスライド操作を行った例を示している。表示制御部１１ａは、スライド操作の軌跡に沿って表示を行うようになっており、表示画面３１上には、最初のスライド操作に基づく表示８１ａに続けて、１つ以上の折れ線状のスライド操作に基づく表示８１ｂが表示されている。
【００６１】
また、図１４（ｃ）は、ユーザが円形又は楕円形状のスライド操作を行ったことを示している。表示制御部１１ａによって、表示画面３１上には、ユーザのスライド操作の軌跡に沿った表示８２が表示されている。
【００６２】
このように、図１４（ａ）乃至図１４（ｃ）は、ユーザが指をタッチパネル３２から離間させることなく、連続的にスライド操作することによって、構図設定ラインの設定のためのスライド操作を解除する解除操作を示している。
【００６３】
また、図１４（ｄ）は図７に対応する構図設定ラインの設定のためのスライド操作が行われた例を示している。このスライド操作に基づいて、構図設定ライン表示８３ａが表示される。これにより、一旦は構図設定ラインが設定される。ユーザはこの構図設定ラインを取り消すために、例えば、この構図設定ライン表示８３ａに略直交させるようにスライド操作を行う。この解除操作によって、タッチ・スライド操作検出部１１ｂは、設定した構図設定ラインの設定を解除する。また、表示制御部１１ａは、解除のためのスライド操作に基づく表示８３ｂを表示する。
【００６４】
また、図１４（ｅ）は図１１に対応する構図設定ラインの設定のためのスライド操作が行われた例を示している。このスライド操作に基づいて、構図設定ライン表示８４ａが表示される。これにより、一旦は構図設定ラインが設定される。ユーザはこの構図設定ラインを取り消すために、例えば、この構図設定ライン表示８４ａに略直交させるようにスライド操作を行う。この解除操作によって、タッチ・スライド操作検出部１１ｂは、設定した構図設定ラインの設定を取り消す。また、表示制御部１１ａは、解除のためのスライド操作に基づく表示８４ｂを表示する。
【００６５】
次に、このように構成された実施の形態の動作について図１５及び図１６を参照して説明する。
【００６６】
図１５は操作部の操作によって手動で構図自動設定モードを設定する場合の動作フローを示し、図１６はユーザのスライド操作に応答して自動的に構図自動設定モードが設定される場合の動作フローを示している。図１５及び図１６においては、図７乃至図１０による構図設定ラインの設定方法をモードＡとし、図１１乃至図１３による構図設定ラインの設定方法をモードＢとして説明する。
【００６７】
図１５のステップＳ４１，Ｓ４２において、信号処理及び制御部１１は、操作判定部１５からの操作信号に基づいて、モードＡが指定されたか否か、モードＢが指定されたか否かを判定する。
【００６８】
信号処理及び制御部１１は、ステップＳ５１，Ｓ７１において、表示制御部１１ａを制御して、構図設定ラインを設定するためのスライド操作を促すためのメッセージ表示を表示画面３１に表示させる。なお、モードＡにおいては、撮影する被写体が到達する位置において、被写体の進入方向に略直交する構図設定ラインを指定するように、メッセージ表示を行う。また、モードＢにおいては、撮影する被写体が進入する位置から撮影位置に到達するまでの進入方向に略沿った構図設定ラインを指定するように、メッセージ表示を行う。
【００６９】
ステップＳ５２，７２においては、タッチ・スライド操作検出部１１ｂは、例えば図１４に示す解除操作が行われた否かを検出する。解除操作が行われていない場合には、タッチ・スライド操作検出部１１ｂは、ステップＳ５３において、スライド操作が開始されたか否かを判定する。
【００７０】
タッチ・スライド操作検出部１１ｂは、スライド操作の開始点を検出し、表示制御部１１ａは、この開始点からスライド操作に対応して構図設定ライン表示の表示を開始する（ステップＳ５４，Ｓ７４）。次に、タッチ・スライド操作検出部１１ｂは、スライド操作が終了したか否かを判定する（ステップＳ５５，Ｓ７５）。タッチ・スライド操作検出部１１ｂは、スライド操作の終了点を検出し、表示制御部１１ａは、このスライド操作に対応して構図設定ライン表示の終了点を決定する（ステップＳ５６，Ｓ７６）。
【００７１】
これにより、タッチ・スライド操作検出部１１ｂは、構図設定ラインを設定し、方向判定部１１ｅは、動体判定方向を決定する。即ち、モードＡにおいては、方向判定部１１ｅは、例えば、構図設定ラインに略直交する動体判定方向を決定し（ステップＳ７７）、モードＢにおいては、方向判定部１１ｅは、例えば、構図設定ラインに略一致する方向の動体判定方向を決定する（ステップＳ５７）。
【００７２】
動体判定部１１ｃは、視野範囲内で動体判定方向に移動する被写体を判定する。ステップＳ５８，Ｓ７８においてタッチ・スライド操作検出部１１ｂによって解除操作が検出されなければ、ステップＳ５９，Ｓ７９において動体判定部１１ｃによって動体が検出されたか否かが判定される。動体判定部１１ｃは、検出した動体を追尾し、解除操作がなければ（ステップＳ６０，Ｓ８０）、動体が構図設定ライン（モードＡ）又は終点（モードＢ）に到達したか否かが判定される（ステップＳ６１，Ｓ８１）。
【００７３】
予測・撮影決定部１１ｄは、Ａモードにおいて動体が構図設定ラインに到達すると撮影を行い、Ｂモードにおいて動体が構図設定ラインの終点に到達すると撮影を行う。こうして、ユーザが簡単なスライド操作によって設定した構図設定ラインによって、動く被写体が所望の位置に到達した時点で確実に撮影を行うことができる。
【００７４】
信号処理及び制御部１１は、ステップＳ６３，Ｓ８３において、構図設定ラインの設定変更が発生した場合には、夫々処理をステップＳ５１，Ｓ７１に戻して、構図設定ラインの再設定を行う。また、信号処理及び制御部１１は、ステップＳ６４，Ｓ８４において、モード変更の指示があるか否かを判定する。モード変更の指示が無い場合には、夫々ステップＳ５９，Ｓ７９に処理を戻し動体検出を繰り返す。
【００７５】
従って、特に指定がなければ、動作判定方向から構図設定ライン又はその終点に到達する全ての被写体が順次撮影される。例えば、徒競走においてゴールライン上に構図設定ライン又はその終点を設定した場合には、ゴールラインに到達する被写体が順次静止画撮影されることになる。また、ユーザが明示的に動体判定する被写体を指定するようにしてもよい。また、ユーザが構図設定ライン又はその終点に到達するｎ番目の被写体のみを撮影するように指示することも可能である。また、ユーザのシャッターボタンの操作による撮影と構図自動設定モードにおける撮影との両方の撮影を許可するように構成しもよい。
【００７６】
また、本実施の形態においても、ユーザのタッチ・スライド操作によって、タッチレリーズ操作と構図自動設定モードのための操作とを区別することができる。図１６のステップＳ９１において、表示制御部１１ａは、表示画面３１上にスルー画を表示する。タッチ・スライド操作検出部１１ｂは、ステップＳ９２において解除操作が発生したか否かを判定し、解除操作があった場合には通常撮影モードに移行する。
【００７７】
解除操作がない場合には、タッチ・スライド操作検出部１１ｂは、ステップＳ９３においてタッチ検出を行う。ユーザがタッチパネル３２に触れると、タッチ・スライド操作検出部１１ｂはタッチを検出し、ステップＳ９４においてユーザが触れた位置が画面の周辺部であるか否かを判定する。タッチレリーズ操作時にタッチする注目被写体は、通常画面の中央部側に位置しており、タッチレリーズ操作時にはユーザは画面周辺部以外の部分をタッチする可能性が高い。そこで、タッチ・スライド操作検出部１１ｂは、ユーザが画面周辺部以外をタッチした場合には、タッチレリーズ操作が発生したものと判定し、ステップＳ９５においてタッチレリーズを行う。
【００７８】
ユーザが画面周辺部をタッチした場合には、タッチ・スライド操作検出部１１ｂは、ユーザがタッチを離した位置が、タッチを開始した位置と異なる位置であって画面の周辺部であるか否かを判定する（ステップＳ９６）。Ｂモードでは、ユーザが被写体を撮影したい位置は、通常画面の中央側に位置すると考えられることから、Ｂモードにおいて構図設定ラインを設定するためのスライド操作の終点位置は、画面周辺部以外の部分になると考えられる。そこで、タッチ・スライド操作検出部１１ｂは、ユーザが画面の周辺部においてスライドを終了させた場合にはＡモードを設定し（ステップＳ９７）、周辺部以外の位置においてスライドを終了させた場合にはＢモードを設定し（ステップＳ９７）た後、撮影を行う（ステップＳ９９）。こうして、タッチパネル３２のタッチ及びスライド操作によって、タッチレリーズ操作と構図設定ラインを設定するためのスライド操作とを区別することが可能である。
【００７９】
このように本実施の形態においては、第１の実施の形態と同様の効果が得られると共に、動体判定する被写体の移動方向を決定するようになっており、希望しない被写体が撮影される誤撮影を防止することができる。また、動体判定する被写体の移動方向が決定されるので、被写体が構図設定ライン又はその終点に到達するタイミングの予測が容易となり、ユーザがスライド操作によって指定した位置での撮影がより正確に行われる。
【００８０】
また、本実施の形態においては、撮影対象とする被写体の移動方向を規定することができるので、動き予測が付きにくい動物等の撮影にも有効である。例えば、水面やその近くに構図設定ラインを設定することで、水面に辿り着く鳥の様子や、水辺から飛び立つ鳥の様子を撮影することもできる。また、移動方向を特定しているので移動速度の算出が容易であり、高速で移動する物体に合わせてフレームレートを変更することができ、高速で移動する物体の撮影にも有効である。
【００８１】
また、図１１乃至図１３の例では、構図設定ラインに略一致する方向を動体判定方向とし、動体判定方向から構図設定ラインの終点近傍に到達する被写体を追尾して撮影するものとしたが、構図設定ライン近傍のコースを移動する物体のみを撮影対象の被写体としてもよい。この場合には、構図設定ラインによって特定するコースを移動する被写体のみを撮影することができる。
【００８２】
また、構図設定ラインが直線状である例について説明したが、曲線状であってもよい。
【００８３】
さらに、本発明の各実施形態においては、撮影のための機器として、デジタルカメラを用いて説明したが、カメラとしては、デジタル一眼レフカメラでもコンパクトデジタルカメラでもよく、ビデオカメラ、ムービーカメラのような動画用のカメラでもよく、さらに、携帯電話やスマートフォンなど携帯情報端末（ＰＤＡ：Personal Digital Assist）等に内蔵されるカメラでも勿論構わない。
【００８４】
本発明は、上記各実施形態にそのまま限定されるものではなく、実施段階ではその要旨を逸脱しない範囲で構成要素を変形して具体化できる。また、上記各実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【００８５】
なお、特許請求の範囲、明細書、および図面中の動作フローに関して、便宜上「まず、」、「次に、」等を用いて説明したとしても、この順で実施することが必須であることを意味するものではない。また、これらの動作フローを構成する各ステップは、発明の本質に影響しない部分については、適宜省略も可能であることは言うまでもない。
【符号の説明】
【００８６】
１…撮影機器、１０…本体部、１１…信号処理及び制御部、１１ａ…表示制御部、１１ｂ…タッチ・スライド操作検出部、１１ｃ…動体判定部、１１ｄ…予測・撮影決定部、１２…撮像部、１４…時計部、１５…操作判定部、１６…記録部、１７…接眼表示部、２０…交換レンズ、３０…表示部、３１…表示画面、３２…タッチパネル。
【図１】
2014011578.tif 000003
【図２】
2014011578.tif 000004
【図３】
2014011578.tif 000005
【図４】
2014011578.tif 000006
【図５】
2014011578.tif 000007
【図６】
2014011578.tif 000008
【図７】
2014011578.tif 000009
【図８】
2014011578.tif 000010
【図９】
2014011578.tif 000011
【図１０】
2014011578.tif 000012
【図１１】
2014011578.tif 000013
【図１２】
2014011578.tif 000014
【図１３】
2014011578.tif 000015
【図１４】
2014011578.tif 000016
【図１５】
2014011578.tif 000017
【図１６】
2014011578.tif 000018